(57)【要約】【課題】よりインパクトのある光による演出を実現可能とする役物装置を備えた遊技機を得る。【解決手段】光源１０３と、光源からの光を反射する光反射面１０７を有し、光源の周囲を回転可能な可動体１０５と、可動体を収容可能な光透過性の中空筐体１１２、及び当該中空筐体の内面の一部に形成された光反射面１１３とを有した回転体１１０とを備えた役物装置１００を有する遊技機であって、可動体１０５の光反射面１０７で反射した光が中空筐体１１２を透過するか、或いは中空筐体１１２の内面の一部に形成された光反射面１１３で反射するように構成されている。【選択図】図５
2014221170.tif 000002
【特許請求の範囲】
【請求項１】
光源と、
前記光源からの光を反射する光反射面を有し、前記光源の周囲を回転可能な可動体と、
前記可動体を収容可能な光透過性の中空筐体、及び当該中空筐体の内面の一部に形成された光反射面とを有した回転体とを備えた役物装置を有する遊技機であって、
前記可動体の光反射面で反射した光が前記中空筐体を透過するか、或いは前記中空筐体の内面の一部に形成された光反射面で反射するように構成されたことを特徴とする遊技機。
【請求項２】
光透過性を有するカバーを更に備え、
前記カバーが前記回転体と離れた状態から前記回転体に対して接近し、前記回転体の外面の少なくとも一部を覆う状態となるように移動可能に設けられたことを特徴とする請求項１に記載の遊技機。
【発明の詳細な説明】
【技術分野】
【０００１】
本発明は、遊技機に関し、特に光による演出を行う役物装置を備えた遊技機に関する。
【背景技術】
【０００２】
従来、役物装置の一形態として、光透過性材料により形成された中空筐体の内側に光源からの光を反射するリフレクターを設け、当該中空筐体とリフレクターとが回転するように構成された役物装置が知られている。
【先行技術文献】
【特許文献】
【０００３】
【特許文献１】特開２０１２−１７０７３９号公報
【発明の概要】
【発明が解決しようとする課題】
【０００４】
上述した役物装置では、リフレクターによって反射した光がレンズとして機能する中空筐体を透過するだけであるため、演出のインパクトに欠けるという課題があった。
そこで、本発明は、よりインパクトのある光による演出を実現可能とする役物装置を備えた遊技機を得ることを目的とする。
【課題を解決するための手段】
【０００５】
本発明に係る遊技機は、光源と、光源からの光を反射する光反射面を有し、光源の周囲を回転可能な可動体と、可動体を収容可能な光透過性の中空筐体、及び当該中空筐体の内面の一部に形成された光反射面とを有した回転体とを備えた役物装置を有し、可動体の光反射面で反射した光が中空筐体を透過するか、或いは中空筐体の内面の一部に形成された反射面で反射するように構成されている。
また、光透過性を有するカバーを更に備え、当該カバーが前記回転体と離れた状態から回転体に対して接近し、回転体の外面の少なくとも一部を覆う状態となるように移動可能に設けられた構成とした。
上記発明の概要は、本発明の必要な特徴の全てを列挙したものではなく、特徴群を構成する個々の構成もまた発明となり得る。
【発明の効果】
【０００６】
本発明に係る遊技機によれば、よりインパクトのある光による演出を実現可能とする役物装置を備えた遊技機を得ることができる。
【図面の簡単な説明】
【０００７】
【図１】遊技機の全体斜視図である。
【図２】遊技盤の正面図である。
【図３】遊技機の制御ブロック図である。
【図４】実施形態１の役物装置を示す斜視図である。
【図５】実施形態１の役物装置を示す断面図である。
【図６】実施形態１の第１光演出手段を示す斜視図である。
【図７】実施形態１の第２光演出手段を示す斜視図である。
【図８】実施形態１の役物装置を示す正面図である。
【発明を実施するための形態】
【０００８】
以下、図１〜図８を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【０００９】
図１，図２に示すように、本実施形態に係る遊技機の一例としてのパチンコ機１は、遊技場の島設備に設置される縦長方形状の機枠２と、この機枠２の側部に軸着され、開閉自在に取り付けられた本体枠３と、当該本体枠３の内側に装着された遊技盤３０と、本体枠３の前面に軸着されて開閉自在に取り付けられ、中央に大きく設けられたガラス窓４Ａ及び当該ガラス窓４Ａの下方に設けられた受皿６を有するパネル扉４と、本体枠３の下部に配設された図外の発射装置と、パネル扉４の下部に取り付けられたハンドルユニット７と、パネル扉４の左右の上部にそれぞれ設けられたスピーカユニット８を主たる構成として備える。
【００１０】
受皿６の中央部には、操作部１０が配設される。操作部１０は、後述する演出表示装置５００の表示画面５００Ａに表示されるカーソル等を移動するためのダイアル部と、ダイアル部の操作によって移動可能となるカーソルと対応する項目を選択する際、或いは演出表示装置５００の表示画面５００Ａ上において展開される多様なボタン演出等の際に押下されるボタン部とから構成される。
【００１１】
図２に示すように遊技盤３０は、その前面に遊技球が流下する遊技領域３０Ａを有する。遊技領域３０Ａは、遊技盤３０に略正対して着座する遊技者からガラス窓４Ａを介して視認することができる。遊技領域３０Ａは、遊技球を滑走させる外ガイドレール２７と内ガイドレール２８によって略円形状となるように区画形成されている。前述の受皿６に収容された遊技球は、図外の発射装置に１個ずつ供給されるようになっている。
【００１２】
図３に示すように、主制御装置２００と接続された払出制御装置４００は、ハンドルユニット７に内蔵された発射ボリューム７Ａからの入力に応じた所定の発射力で発射装置に内蔵された発射モータ７Ｂを制御し、遊技球を遊技領域３０Ａ内に打ち出す。また、図３に示すようにハンドルユニット７には、発射停止スイッチ７Ｃやタッチセンサ７Ｄが内蔵されており、払出制御装置４００は、発射停止スイッチ７Ｃやタッチセンサ７Ｄからの入力に基づいて発射モータ７Ｂを制御する。また、払出制御装置４００には、賞球払出装置３０１や、当該賞球払出装置３０１によって払出された遊技球（賞球）をカウントする払出計数スイッチ３０２が接続されており、主制御装置２００から送信される払出コマンドに応じて、賞球払出装置３０１を制御し、後述する各種の入賞部品への入賞に対応する所定個数の賞球を受皿６に払出す処理を実行する。
【００１３】
遊技盤３０には、例えば１〜９までの数字やキャラクター等の画像からなる演出図柄を変動表示可能な表示画面５００Ａを有する演出表示装置５００、第１特別図柄表示装置３５Ａ、第２特別図柄表示装置３５Ｂ、及び普通図柄表示装置３６等の各種の表示装置や、第１始動入賞部品６０、第２始動入賞部品６２、大入賞装置６４、及び複数の一般入賞部品６６等の各種の入賞部品や、通過ゲート６８、複数の誘導釘、或いは風車等その他の遊技部品が配設されている。
【００１４】
演出表示装置５００は、遊技領域３０Ａの略中央部に配設される例えば液晶表示装置である。演出表示装置５００の表示画面５００Ａには、上述の演出図柄の他、演出図柄の変動中に展開される多様な演出を表現する特定の画像やアニメーション等の動画が表示可能であり、これらの演出に係る制御は、演出制御装置３００によって実行される。
また、演出図柄の変動時間は、後述する第１特別図柄表示装置３５Ａ、及び第２特別図柄表示装置３５Ｂにそれぞれ表示される特別図柄（第１特別図柄，第２特別図柄）の変動時間と略同期しており、一般に遊技者は、当該演出図柄の変動開始から変動停止までに展開される多様な演出の行方を見守ることにより、大当り遊技への期待感を抱きながら遊技を進行する。
【００１５】
演出表示装置５００の表示画面５００Ａの上部、及び両側部の周囲を取り囲むように配設された装飾枠５０の内側には、表示画面５００Ａの前方において上下方向に離間，対向するように、第１光演出手段１０１、及び第２光演出手段１０２とからなる役物装置１００と、第３光演出手段１７０とが配設されている。役物装置１００は、遊技盤３０の前面と表示画面５００Ａとの間に形成された前後方向に広がる退避領域内において表示画面５００Ａ上部から露出する状態で配設される。また、第３光演出手段１７０は、前後方向に広がる退避領域内においてその全部が視認不能なように収容されており、後述する上昇動作時において全容が視認可能となる。なお、上記役物装置１００及び第３光演出手段１７０は共に、遊技盤３０の前面と表示画面５００Ａとの間に介在する後述の役物装置取付枠１６０に対して取り付けられている。また、詳細については後述するが、当該役物装置１００や第３光演出手段１７０の動作は、表示画面５００Ａ上において変動表示される演出図柄や、多様な演出を表現する画像及び動画の表示タイミングと連動するように演出制御装置３００によって制御され、遊技者は表示画面５００Ａに表示される演出図柄や画像，動画による多様な演出、及び役物装置１００や第３光演出手段１７０の動作によって表現される演出の両方を看取しつつ遊技を進行する。
【００１６】
装飾枠５０の下部には、ステージ５５が延設されている。ステージ５５は、演出表示装置５００の下方に形成された前後左右方向に渡って延在する領域であって、遊技球が転動する底面５５Ａと、当該底面５５Ａの後縁部より上方に起立する後壁部５５Ｂとによって形成される。ステージ５５上に到達した遊技球は、底面５５Ａの湾曲形状に沿って左右方向に転動しながら下方に落下する。また、後壁部５５Ｂの中央部には、球導入口５６Ａが開設されており、当該球導入口５６Ａに進入した遊技球は、後壁部５５Ｂの後方に形成された誘導路を経由して下方に開設された球導出口５６Ｂより下方に落下し、直下に位置する第１始動入賞部品６０内に高い確率で入賞する。
【００１７】
第１特別図柄表示装置３５Ａ及び第２特別図柄表示装置３５Ｂは、複数のＬＥＤランプがそれぞれ半円環状、円形状に配置された構成であって、ＬＥＤランプの点灯態様によって、後述する特別遊技（大当り遊技）の可否に関する特図抽選の結果を導出する。
ここで、ＬＥＤが点滅している期間は、特別図柄の変動時間であり、ＬＥＤの点滅が終了し、所定の態様で点灯表示される期間は特別図柄の確定報知時間である。また、第１特別図柄表示装置３５Ａ、及び第２特別図柄表示装置３５Ｂの変動表示は、主制御装置２００によって制御される。
【００１８】
普通図柄表示装置３６は、例えば赤色と青色による点灯が可能なＬＥＤランプからなり、その点灯色によって、遊技球が後述の通過ゲート６８を通過したことに基づいて主制御装置２００により実行される普図抽選の結果（「当り」又は「外れ」）を遊技者に報知する。
ここで、ＬＥＤが赤色，青色に交互に点滅する期間は、普通図柄の変動時間であり、当該ＬＥＤの点滅が終了し、赤色又は青色で点灯表示されている期間は、普通図柄の確定報知時間である。また、普通図柄表示装置３６の変動表示は、主制御装置２００によって制御される。
【００１９】
次に遊技領域３０Ａ内に配設された各種の入賞部品について説明する。
第１始動入賞部品６０、及び第２始動入賞部品６２は、ステージ５５の下方において遊技領域３０Ａの略中央部に上下に隣接して配置されている。第１始動入賞部品６０、及び第２始動入賞部品６２はともに、上方から流下してくる遊技球を取込可能な上方開放の入賞口を有しており、当該入賞口から取り込まれた遊技球は、第１始動入賞部品６０、及び第２始動入賞部品６２の内部にそれぞれ配設された第１始動口検出センサＳＷ１及び第２始動口検出センサＳＷ２によって検出された後、遊技盤３０の背面側より機外に排出される。また、第１始動口検出センサＳＷ１、及び第２始動口検出センサＳＷ２からの検出信号は、主制御装置２００側に入力する。
【００２０】
第２始動入賞部品６２には、当該第２始動入賞部品６２への遊技球の入賞を阻止、又は許容する開閉体６３が配設されている。開閉体６３は、主制御装置２００によって制御されるソレノイドＳＯＬ１の駆動によって閉鎖状態又は開放状態を取り得る一対の羽根状部品であって、開閉体６３が直立した閉鎖状態においては遊技球の入賞を阻止し、開閉体６３の先端部が左右方向に拡大した開放状態においては遊技球の入賞を許容する。なお、開閉体６３の開放動作は、遊技球が通過ゲート６８を通過したことに基づいて、主制御装置２００により実行される普図抽選の結果が「当り」となった場合に実行される。
【００２１】
大入賞装置６４は、遊技領域３０Ａの右側下部に配設された入賞装置であって、遊技盤３０の前面において前方に向けて開口する矩形状の大入賞口と、当該大入賞口を閉鎖又は開放する板状の開閉体６５とを有してなる。開閉体６５は、大入賞口の下縁部と平行な軸を中心として前後方向にフラップ状に回動白在に設けられ、遊技盤３０の前面と平行に直立した閉鎖状態において大入賞口への遊技球の進入を不可能とし、前方に傾動した開放状態において遊技球を大入賞口に取り込む。また、大入賞口内に取り込まれた遊技球は、大入賞装置６４内に配設された大入賞口検出センサＳＷ３によって検出された後、遊技盤３０の背面側より機外に排出される。また、大入賞口検出センサＳＷ３からの検出信号は、主制御装置２００側に入力する。大入賞装置６４は、後述する特図抽選の結果が「当り」となった場合に実行される特別遊技中において、主制御装置２００によって制御されるソレノイドＳＯＬ２の駆動によって開放動作される。よって、遊技者は、特別遊技の実行中において遊技球を遊技領域３０Ａの右側部に打ち出すことにより、大入賞口内に容易に入賞させることができる。
【００２２】
一般入賞部品６６は、遊技領域３０Ａの左側部に上下に分かれて複数配設されている。一般入賞部品６６は、第１始動入賞部品６０、及び第２始動入賞部品６２と同様に、上方から流下してくる遊技球を取込可能な入賞口を有しており、当該入賞口から取り込まれた遊技球は、内部に配設された一般入賞口検出センサＳＷ４によって検出された後、遊技盤３０の背面側より機外に排出される。また、一般入賞口検出センサＳＷ４からの検出信号は、主制御装置２００側に入力する。
【００２３】
通過ゲート６８は、遊技領域３０Ａの左側部に配設され、遊技球が上方から下方に向けて通過可能な門型構造をなす。当該通過ゲート６８を通過した遊技球は、内部に格納された通過ゲート検出センサＳＷ５によって検出された後、下方に流下する。また、通過ゲート検出センサＳＷ５からの検出信号は、主制御装置２００側に入力する。尚、６９はアウト口である。
以下、上記構成からなる遊技盤３０を備えたパチンコ機１における主要な処理と遊技の流れについて概説する。
【００２４】
（遊技情報記憶処理について）
遊技領域３０Ａ内に打ち出された遊技球が、第１始動入賞部品６０又は第２始動入賞部品６２に入賞すると、主制御装置２００は、第１始動入賞部品６０、及び第２始動入賞部品６２にそれぞれ対応する第１始動口検出センサＳＷ１、及び第２始動口検出センサＳＷ２から出力される検出信号の入力を契機として、特別遊技の可否に関する特図抽選に用いられる特図当否抽選用乱数を含む複数の乱数（以下、複数の乱数を総称して遊技情報という。）を図外のハードウェア乱数発生手段、或いはソフトウェア乱数発生手段から同時に取得し、ＲＡＭに設けられた記憶領域に格納する遊技情報記憶処理を実行する。当該遊技情報記憶処理は、予め設定された遊技情報の上限に達するまで実行される。例えば、本実施形態における遊技情報の上限は、第１始動口検出センサＳＷ１からの検出信号の入力に基づいて４つ、第２始動口検出センサＳＷ２からの検出信号の入力に基づいて４つの最大８つまでとされており、８つを超えて遊技情報が記憶（保留）されることはない。
【００２５】
（特図抽選処理，変動時間決定処理について）
上記遊技情報記憶処理によって遊技情報が記憶された場合、主制御装置２００は、予め設定された始動条件が成立したことに応じて遊技情報を順に読み出し、特図当否抽選用乱数を用いた特図当否抽選処理を含む各種の抽選処理を実行する。ここで、特図当否抽選とは、前述の処理によって取得された特図当否抽選用乱数と、例えば０〜６５５３５までの範囲の特図当否抽選用乱数それぞれに対応する当否結果（「当り」，「外れ」）が規定された乱数テーブル（特図当否抽選テーブル）とを読み出し、前述の処理によって取得された特図当否抽選用乱数に対応する当否結果を抽出，決定する処理である。
ここで、特図抽選処理が実行される始動条件とは、特別図柄が変動表示中でないこと、かつ、特別遊技の実行中でないことであり、当該条件が成立する度に遊技情報が読み出され、特別図柄及び演出図柄が変動表示され、特図抽選の結果（当否結果）を示す態様で停止表示されることにより１回の遊技が終了する。また、特図抽選処理によって抽出，決定された当否結果が「当り」である場合には、所定の変動時間経過後に前述の特別図柄、及び演出図柄が「当り」を示す態様で停止表示され、当否結果が「外れ」である場合には、所定の変動時間経過後に前述の特別図柄、及び演出図柄が「外れ」を示す態様で停止表示される。そして、特別図柄、及び演出図柄が「当り」を示す態様で停止表示された場合には、遊技者にとって有利な前述の特別遊技が実行される。なお、上記特別図柄及び演出図柄の変動時間は、特図当否抽選用乱数と同時に取得される乱数（変動時間決定用乱数）を用いた変動時間決定処理によって、例えば２秒，５秒，１１秒，３０秒，４５秒，９０秒の中からランダムに決定される。
【００２６】
（演出制御処理について）
主制御装置２００による前述の各処理によって当否結果、及び変動時間が抽出，決定されると、当否結果、及び変動時間に係る情報を含む変動コマンドが演出制御装置３００側に送信され、演出制御装置３００は、変動コマンドに含まれる情報に基づいて演出表示装置５００の表示画面５００Ａ上に表示される画像，動画による演出パターンを変動時間に対応してランダムに決定し、演出図柄の変動表示中に、上記決定された演出パターンによる演出を表示する。また、演出制御装置３００は、当該決定された演出パターンに対応してパネル扉４、或いは装飾枠５０内等に配設された電飾基板９（図３参照）の発光パターン、或いは、スピーカユニット８より発せられる音声パターン等を決定し、各機器を制御することにより演出図柄の変動開始から変動停止までの間に、遊技を盛り上げる光や音声による演出を同時に遊技者に対して看取させる。
また、特に本実施形態においては、演出制御装置３００は、決定された演出パターンに対応する動作パターンにより役物装置１００及び第３光演出手段１７０の動作を制御し、役物装置１００の動作、或いは役物装置１００と第３光演出手段１７０とが協同した動作による演出を遊技者に対して看取させる。以下、役物装置１００の具体的構造について詳説する。
【００２７】
実施形態１
図４乃至図７に示すように、遊技機に設けられた役物装置１００は、第１光演出手段１０１と、第２光演出手段１０２と、光源１０３と、演出制御装置３００と接続された役物動作制御基板１５０とを備える。
【００２８】
第１光演出手段１０１は、可動体１０５と、当該可動体１０５を回転動作させる可動体駆動装置１０６とを備える。
【００２９】
可動体１０５は、光源１０３からの光を反射する光反射面１０７を有した構成である。当該可動体１０５は、例えば図６に示すような、一端が開口し、他端が閉塞した中空筒状体を当該中空筒状体の筒の中心線に沿って二分割して形成された半割体１０８の内周面の全部又は一部の面に光反射面１０７を有した構成である。半割体１０８は、光透過性を有した材料により形成され、光反射面１０７は例えば半割体１０８の内面に金属蒸着された薄膜により形成される。
即ち、可動体１０５は、光透過性を有した材料により形成された板材としての半割体１０８と、当該半割体１０８の内周面の前部又は一部に形成された光反射面１０７とを備えた構成である。
【００３０】
第２光演出手段１０２は、回転体１１０と、当該回転体１１０を回転させる回転体駆動装置１１１とを備える。回転体１１０は、光透過性を有した材料により形成された中空筐体１１２と、当該中空筐体１１２の内面の一部に形成された光反射面１１３とを有した構成である。
【００３１】
中空筐体１１２は、例えば、一端開口１１４の円筒１１５の他端側が半球面板状の壁１１６で閉塞された構成である。半球面板状の壁１１６は、円筒１１５の筒壁より延長して筒の中心線に沿って筒の他端方向に突出する半球面板状の壁である。当該中空筐体１１２は、円筒１１５と半球面板状の壁１１６とを別々に形成した後に円筒１１５の他端開口端面と半球面板状の壁１１６の円形環状端面とを接合して構成されたり、円筒１１５と半球面板状の壁１１６とが一体形成された構成である。当該中空筐体１１２は、円筒１１５の一端開口１１４の中心及び半球面板状の壁１１６における球の中心を通る円筒１１５の中心線を回転中心線Ｘとして回転するように設けられる。
当該中空筐体１１２が光透過性を有する合成樹脂によって形成され、当該中空筐体１１２の内面の一部に光反射面１１３が形成される。当該光反射面１１３は、例えば、中空筐体１１２の内面の片側半部を覆うように金属蒸着された薄膜により形成される。
【００３２】
そして、可動体１０５が中空筐体１１２の中空空間内に収容され、光源１０３から照射される光が、可動体１０５の光反射面１０７によって反射し、当該反射光が中空筐体１１２を透過するか、或いは、中空筐体１１２の内面の一部に形成された光反射面１１３によって反射するような光演出を可能とした役物装置１００が構成される。
【００３３】
可動体駆動装置１０６は、可動体支持機構１２０と、可動体駆動源１２１と、可動体駆動力伝達機構１２２とを備える。回転体駆動装置１１１は、回転支持機構１３０と、回転体駆動源１３１と、回転体駆動力伝達機構１３２とを備える。
【００３４】
可動体支持機構１２０は、可動体１０５を形成する半割体１０８を当該半割体１０８の原形である上述した中空筒状体の筒の中心線を回転中心線Ｘとして回転させるための構成である。当該可動体支持機構１２０は、円筒構成体１２３と、軸受１２４と、円筒構成体設置用円環状フランジ１２９とを備える。
【００３５】
図５に示すように、円筒構成体１２３は、円筒部１２５と、円筒部１２５の筒の一端より筒の中心から離れる方向に延長するように設けられ、筒の中心と直交する第１円環状面板１２６と、円筒部１２５の筒の他端より筒の中心から離れる方向に延長するように設けられ、筒の中心と直交する第２円環状面板１２７と、第２円環状面板１２７の外周縁より円筒部１２５の一端に近づく方向に延長して筒の中心線が前記円筒部１２５の中心線と同じである外側円筒部１２８とを備えた構成である。
【００３６】
例えば、円筒構成体１２３と半割体１０８とは別体で構成され、円筒構成体１２３は、円筒部１２５の中心線と、半割体１０８の回転中心線Ｘとが一致するように、円筒構成体１２３の第２円環状面板１２７と半割体１０８の一端開口端面１０８ａとが接合される。尚、円筒構成体１２３と半割体１０８とが一体に形成された構成であってもよい。
【００３７】
軸受１２４は、中空筐体１１２の一端開口１１４側の内側に形成された円筒構成体設置用円環状フランジ１２９上に設置され、円筒構成体設置用円環状フランジ１２９上に設置された円筒構成体１２３の外側円筒部１２８の外周面と中空筐体１１２の内周面との間に介在するように設けられる。従って、可動体１０５を中空筐体１１２の一端開口１１４から当該中空筐体１１２の内側に挿入し、可動体１０５の上部に設けられた円筒構成体１２３の円筒部１２５の中心線と中空筐体１１２の回転中心線Ｘとが一致するように当該円筒構成体１２３を中空筐体１１２の円筒構成体設置用円環状フランジ１２９上に設置することによって、円筒構成体１２３の外側円筒部１２８の外周面が軸受１２４により回転可能に支持される。以上により、可動体１０５と回転体１１０とが同一の回転中心線Ｘを回転中心として回転可能となるように構成される。
【００３８】
回転支持機構１３０は、図８に示す後述の役物装置取付枠１６０に取付けられるベース１３５と、ベース１３５に取付けられた回転支持部材１３６とを備える。回転支持部材１３６は、ベース１３５の面に対して回転中心線Ｘが直交するように位置決めされた回転体１１０の回転を支持する部材である。
【００３９】
図７に示すように、当該回転支持部材１３６は、例えば、回転体１１０の円筒１１５の一端開口１１４側の外側円周面に当該外側円周面を取り囲むように設けられた円環状フランジ１３７の外周縁側を回転体１１０の回転時に支持する３つ以上の溝車１３８と、各溝車１３８をそれぞれベース１３５に連結する連結体１３９とを備えて構成される。溝車１３８が連結体１３９の他端部に取付けられ、連結体１３９の一端部が固定具１３９ａによってベース１３５に固定状態に連結される。
溝車１３８は、例えば、円板体の全外周面に円板体の中心を中心とする円環状の溝を備えた構成のもの、あるいは、２つの円板の板面が互いに間隔を隔てて対向するように２つの円板の間に間隔を維持するスペーサを挟んで構成されたもの等を用いれば良い。
【００４０】
例えば、図７に示すように、中空筐体１１２の円環状フランジ１３７の外周縁側において互いに９０度隔てた四箇所、あるいは、中空筐体１１２の円環状フランジ１３７の外周縁側において互いに１２０度隔てた三箇所に、それぞれ溝車１３８を配置し、これら溝車１３８の溝内に中空筐体１１２の円環状フランジ１３７の外周縁部を挿入した状態でこれら溝車１３８が連結体１３９を介してそれぞれベース１３５に取付けられる。尚、円環状フランジ１３７及び溝車１３８を構成する板材の板面は回転中心線Ｘと直交する面に形成される。
以上説明した回転支持機構１３０を備えたことで、回転体１１０が回転した際、回転体１１０の円環状フランジ１３７の外周縁部が３つ以上の溝車１３８の溝内で支持された状態となり、回転体１１０の回転中心線Ｘに沿った方向、及び、回転体１１０の回転中心線Ｘと直交する方向への移動が規制された状態で、回転体１１０が回転中心線Ｘを回転中心として回転可能となる。
【００４１】
可動体駆動源１２１、回転体駆動源１３１はそれぞれ、例えばステッピングモーターにより構成される。可動体駆動源１２１、回転体駆動源１３１を構成するステッピングモーターは、各ステッピングモーターの出力軸１２１ａ；１３１ａが可動体１０５及び回転体１１０の回転中心線Ｘと同一方向に延長する状態となるように、ステッピングモーターのモータハウジング１２１ｂ；１３１ｂがベース１３５に固定される。
【００４２】
図６に示すように、可動体駆動力伝達機構１２２は、可動体駆動源１２１を構成するステッピングモーターの出力軸１２１ａに取付けられた駆動歯車１４０と、駆動歯車１４０と噛み合う被動歯車１４１とを備える。
被動歯車１４１は、中心線が中空筐体１１２の回転中心線Ｘと一致するように円筒構成体１２３の第１円環状面板１２６に接合された筒体１４３の筒外周面に設けられる。即ち、被動歯車１４１は、可動体１０５の一端開口側に円筒構成体１２３を介して設けられた筒体１４３の筒外周面を取り囲む円環状歯車により構成される。
【００４３】
図５に示すように、筒体１４３の筒の内周面には、筒の中心線と直交する円環状フランジ１４４が形成されており、当該円環状フランジ１４４の中央に位置する中央貫通孔１４５が光を可動体１０５の光反射面１０７側に取り込むための光導入口として機能する。
筒体１４３は、当該筒体１４３の中心線と円筒構成体１２３の円筒部１２５の中心線とが一致するように、円筒構成体１２３の第１円環状面板１２６と円環状フランジ１４４とが接合が接合される。尚、筒体１４３と円筒構成体１２３とが一体に形成された構成であってもよい。
以上の構成により、可動体駆動源１２１を構成するステッピングモーターの回転力が、駆動歯車１４０から被動歯車１４１に伝達されて、被動歯車１４１を備えた筒体１４３が回転中心線Ｘを回転中心として回転することにより、円筒構成体１２３がベアリングにより回転支持された状態で回転し、かつ、可動体１０５が回転中心線Ｘを回転中心として回転する。
【００４４】
回転体駆動力伝達機構１３２は、回転体駆動源１３１を構成するステッピングモーターの出力軸１３１ａに取付けられた駆動歯車１４６と、駆動歯車１４６と噛み合う被動歯車１４７とを備える。
被動歯車１４７は、駆動歯車１４６と噛み合うように、例えば、回転体１１０の円環状フランジ１３７よりもさらに回転体１１０の一端開口１１４側に位置する円筒１１５の円周面に当該円周面を取り囲むように形成された円環状歯車により構成される。
以上の構成により、回転体駆動源１３１を構成するステッピングモーターの回転力が、駆動歯車１４６から被動歯車１４７に伝達されて、回転体１１０が回転支持機構１３０により回転支持された状態で回転中心線Ｘを回転中心として回転する。
【００４５】
図５に示すように、可動体１０５に設けられた円環状フランジ１４４の中央貫通孔１４５と対向するベース１３５の面には、役物動作制御基板１５０が取付けられている。役物動作制御基板１５０は、光源１０３の点灯，消灯を制御する点灯制御回路、可動体駆動源１２１及び回転体駆動源１３１としての複数のステッピングモーターの回転を制御する回転制御回路が実装されており、演出制御装置３００からの制御信号に基づいて光源１０３、可動体駆動源１２１及び回転体駆動源１３１の動作を制御する。
【００４６】
役物動作制御基板１５０には、上記点灯制御回路と接続された光源１０３が搭載されている。光源１０３は、例えば、ＬＥＤ等のランプである。そして、光源１０３からの光を可動体１０５の光反射面１０７に導くための導光部材１５１が、円環状フランジ１４４の中央貫通孔１４５を貫通するように、取付部材１５２によって円環状フランジ１４４に固定されている。つまり、光源１０３より照射される光は、導光部材１５１を介して可動体１０５、及び回転体１１０側に導出される。
【００４７】
図７に示すように、中空筐体１１２の一端開口１１４の円周縁の一部には、一端開口１１４の端面から他端方向（半球面板状の壁１１６に近づく方向）に延長するように形成された被検出部１５３としての切欠部を備える。また、役物動作制御基板１５０には、前記被検出部１５３を検出するための回転体回転量検出センサー１５４が設けられている。
また、図６に示すように、可動体１０５に設けられた筒体１４３におけるベース１３５と対向する側の開口端面の円周縁の一部には、被検出部１５５としての切欠部が形成される。また、役物動作制御基板１５０には、当該被検出部１５５を検出するための可動体回転量検出センサー１５６が設けられている。
【００４８】
役物動作制御基板１５０に搭載された回転制御回路は、演出制御装置３００からの制御信号に基づいて可動体駆動源１２１を構成するステッピングモーターの出力軸１２１ａの回転を正方向及び逆方向に切り換える正逆制御を行うとともに、可動体回転量検出センサー１５６によって検出される被検出部１５５の位置を基準として可動体１０５の回転量を制御する。
また、役物動作制御基板１５０に搭載された回転制御制御回路は、演出制御装置３００からの制御信号に基づいて回転体駆動源１３１を構成するステッピングモーターの出力軸１３１ａの回転を正方向及び逆方向に切り換える正逆制御を行うとともに、回転体回転量検出センサー１５４によって検出される被検出部１５３の位置を基準として回転体１１０の回転量を制御する。
【００４９】
上述の実施形態に係る役物装置１００によれば、光源１０３より照射され、導光部材１５１を介して可動体１０５、及び回転体１１０側に導出された光が導光部材１５１の周囲で回転する可動体１０５の光反射面１０７によって反射するとともに、さらに当該可動体１０５の周囲において可動体１０５と同一回転軸上で回転する回転体１１０の中空筐体１１２の内面に形成された光反射面１１３によって反射するため、光反射面１０７の面積（Ｓ１）と光反射面１１３の面積（Ｓ２）の相違（Ｓ１＜Ｓ２）によって、幅の異なる光が入り混じるように、中空筐体１１２における光反射面１１３が存在しない部分より導出されるため、上記従来の役物装置と比してよりインパクトのある光による演出を表現することが可能となる。
また、例えば可動体１０５の光反射面１０７と、回転体１１０の中空筐体１１２における光反射面１１３とが互いに重なり合う状態で、可動体１０５及び回転体１１０が同期して回転するようにステッピングモーターを制御すれば、同一幅の光が中空筐体１１２における光反射面１１３が存在しない部分より導出されるため、例えば役物装置１００動作中の一定期間だけ可動体１０５及び回転体１１０を同期して回転させ、当該期間経過後に非同期で回転させることにより、光による演出により一層のインパクト、及びバリエーションを付与することが可能となる。
【００５０】
実施形態２
上述した実施形態に係る役物装置１００に加え、さらに、以下に説明する第３光演出手段１７０を備えた構成の役物装置（以下、役物装置１００Ａ）とすれば、よりインパンクとのある光による演出が可能な役物装置を得ることができる。以下、第３光演出手段１７０について詳説する。
【００５１】
図８に示すように、第３光演出手段１７０は、カバー１７１と、当該カバー１７１を昇降移動させるカバー駆動装置１７２とを備える。
【００５２】
カバー１７１は、光透過性を有した樹脂等の材料により形成され、回転体１１０を形成する中空筐体１１２の外面の少なくとも一部を覆う状態（図８（ｂ）参照）と、当該中空筐体１１２の外面全体を露出させる状態（図８（ａ）参照）とに昇降移動可能に構成される。カバー１７１は、例えば中空筐体１１２の外面すべてを中空空間内に収容できる大きさに形成された一端開口他端閉塞の中空筐体により形成される。
【００５３】
カバー駆動装置１７２は、カバー支持体１７３と、カバー駆動力伝達機構１７４と、カバー駆動源１７５とを備える。カバー支持体１７３は、左右方向に長尺な支持板により形成される。カバー駆動力伝達機構１７４は、循環ベルト装置１７６と、ガイドレール１７７とを備える。
【００５４】
カバー支持体１７３を構成する支持板は、例えば、中央部に演出表示装置５００の表示画面５００Ａと対応する四角形状の開口１６１を備えた役物装置取付枠１６０の当該開口１６１を跨いで左右両端が当該開口１６１の左右両側に設けられた左右の壁１６２；１６３の前方に位置される。循環ベルト装置１７６は、役物装置取付枠１６０の左右の壁１６２；１６３の一方である例えば左壁１６２の前面に設けられ、ガイドレール１７７は役物装置取付枠１６０の左右の壁１６２；１６３の他方である例えば右壁１６３の前面に設けられる。
【００５５】
循環ベルト装置１７６は、左壁１６２の前面の上下の一方である例えば上方に設けられた駆動プーリー１７８と、左壁１６２の前面の上下の他方である例えば下方に設けられた従動プーリー１７９と、駆動プーリー１７８と従動プーリー１７９とに掛け渡された循環ベルト１８０とを備えて構成される。カバー支持体１７３を構成する支持板の左端部が連結部１８１を介して循環ベルト１８０に固定され、かつ、カバー支持体１７３を構成する支持板の右端部に設けられたスライダー１８２がガイドレール１７７内を昇降移動可能なように取付けられる。
【００５６】
カバー駆動源１７５は、例えばステッピングモーターであり、当該モーターの出力軸１８３が駆動プーリー１７８の回転中心に固定され、モーターの回転力が駆動プーリーに伝達される。つまり、ステッピングモーターの回転により、駆動プーリー１７８を正逆回転させることで循環ベルト１８０が正逆方向に回転し、これにより、カバー支持体１７３を上下方向に昇降移動させることが可能となる。なお、カバー駆動源１７５としてのステッピングモーターは、上述の演出制御装置３００によってその正逆方向の回転が制御される。
そして、カバー支持体１７３の略中央部には、カバー１７１がその開口部が上方を向いた状態で固定されており、遊技者からの視認が不能となる下限度位置からカバー支持体１７３の上昇移動によって、上方に位置する役物装置１００に近接し、図８（ｂ）に示す如く、役物装置１００全体を覆うように一体化（合体）される。
【００５７】
実施形態２に係る役物装置１００（第１光演出手段１０１、第２光演出手段１０２、光源１０３）及び、第３光演出手段１７０を備えた構成の役物装置１００Ａによれば、例えば役物装置１００単独での動作中に、遊技者から視認不能とされていたカバー１７１が突如として上昇移動を開始して役物装置１００に接近し、その全周を覆うように合体することにより、役物装置１００側から照射された光がレンズとして機能するカバー１７１によって、さらに大きな発光体として認識されるため、よりインパクトのある光による演出を遊技者に看取させることが可能となる。
【００５８】
実施形態３
上記では、ベース１３５が役物装置取付枠１６０に取付けられて移動不能な役物装置１００を説明したが、役物装置１００が上下方向に昇降移動可能に設けられた構成としてもよい。この場合、役物装置１００を上下方向に昇降移動させる図外の役物装置駆動装置として、実施形態２で説明したカバー１７１を昇降移動させるカバー駆動装置１７２と同様な装置を用いればよい。
実施形態３によれば、役物装置１００を表示画面５００Ａの前方位置に移動させることが可能となり、例えば役物装置１００を表示画面５００Ａの中央部の前方位置に移動させて、表示画面５００Ａに表示される画像演出と役物装置１００による光演出との合体演出が可能となる。
また、実施形態３によれば、役物装置１００を下降させるとともにカバー１７１を上昇させることによって表示画面５００Ａの前方位置で役物装置１００とカバー１７１とを合体させることが可能となり、例えば表示画面５００Ａの中央部の前方位置で役物装置１００とカバー１７１とを合体させることによる光演出と表示画面５００Ａに表示される画像演出との合体演出が可能となる。
以上のように、実施形態３によれば、よりインパクトのある演出が可能となる。
尚、役物装置１００を昇降移動可能な構成とした場合、駆動源が遊技者に目視されないように駆動源を隠すものを設けたり、役物装置１００を支持する支持体の内部にハーネス等の配線類を通すようにして配線の露出を防止することが好ましい。
【００５９】
また、役物装置１００を表示画面５００Ａの前側の下方に位置させるとともに、第３光演出手段１７０を表示画面５００Ａの前側の上方に位置させるようにして、役物装置１００及び第３光演出手段１７０を昇降移動可能な構成としても良い。
また、役物装置１００を表示画面５００Ａの前側の左，右のいずれか一方に位置させるとともに、第３光演出手段１７０を表示画面５００Ａの前側の左，右の他方に位置させるようにして、役物装置１００及び第３光演出手段１７０を左右方向に移動可能な構成としても良い。
【００６０】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【００６１】
例えば、カバー１７１の内面の一部に光反射面を設けた構成とすれば、３つの光反射面によりさらに変化に富んだ光による演出を実現できる。
また、可動体１０５の形状は特に限定されるものではなく、光を反射させて回転体１１０に照射できる形状であればよい。また、可動体１０５は、回転体１１０の回転中心線Ｘを回転中心として回転するものでなくても良く、反射面の姿勢を変化させることができるように動くことが可能な構成であればよい。
【００６２】
また、回転体１１０の形状は特に限定されるものではなく、可動体１０５を中空空間に収容可能な中空筐体で構成されたものであればよい。また、回転体１１０の光透過部の面積と光反射面１１３の面積の比率は特に限定されるものではない。
【符号の説明】
【００６３】
１００；１００Ａ  役物装置、１０３  光源、１０５  可動体、１０７  光反射面、
１１０  回転体、１１２  中空筐体、１１３  光反射面、１７１  カバー。
【図１】
2014221170.tif 000003
【図２】
2014221170.tif 000004
【図３】
2014221170.tif 000005
【図４】
2014221170.tif 000006
【図５】
2014221170.tif 000007
【図６】
2014221170.tif 000008
【図７】
2014221170.tif 000009
【図８】
2014221170.tif 000010